(57)【特許請求の範囲】
【請求項１】
睡眠時無呼吸症候群を治療すべく頸部に装着される睡眠時無呼吸症候群治療具において、中間部が頸部に沿って延び、左端側が左耳近傍に位置し、右端部が右耳近傍に位置する、弾性を有するヘッドバンドと、前記ヘッドバンドの前記左端側、及び前記右端側に取り付けられた保持部と、前記保持部に取り付けられて、前記ヘッドバンドの弾性に基づいて前記左耳の下方及び前記右耳の下方を押圧することで下顎骨の下顎枝後縁を前方に付勢する加圧体と、を備え、前記ヘッドバンドは、下端側が左の前記保持部に連結されるとともに上端側が前記左耳にかけられる左耳掛けと、下端側が右の前記保持部に連結されるとともに上端側が前記右耳にかけられる右耳掛けとを有する、
ことを特徴とする睡眠時無呼吸症候群治療具。
【請求項２】
前記保持部  は、下顎体下縁に倣うように当接される当接部を有する、
ことを特徴とする請求項１に記載の睡眠時無呼吸症候群治療具。
【請求項３】
前記ヘッドバンドは、前記保持部  に取り付けられて前記ヘッドバンドの弾性に基づいて前記下顎骨の下顎体下縁を前側斜め上方に付勢する補助加圧体を有する、
ことを特徴とする請求項１に記載の睡眠時無呼吸症候群治療具。
【請求項４】
前記ヘッドバンドは、前記中間部に長さ調整機構を有する、
ことを特徴とする請求項１ないし３に記載の睡眠時無呼吸症候群治療具。
【請求項５】
前記加圧体と前記補助加圧体のうちの少なくとも一方が、前記保持部に対して、位置調整可能に取り付けられた、
ことを特徴とする請求項３に記載の睡眠時無呼吸症候群治療具。
【請求項６】
前記加圧体が超軟質ウレタン樹脂、発泡ウレタン又は低反発ウレタンによって形成されている、
ことを特徴とする請求項１ないし５のいずれか１項に記載の睡眠時無呼吸症候群治療具。
【請求項７】
前記補助加圧体が超軟質ウレタン樹脂、発泡ウレタン又は低反発ウレタンによって形成されている、
ことを特徴とする請求項３に記載の睡眠時無呼吸症候群治療具。
【発明の詳細な説明】
【技術分野】
【０００１】
本発明は、睡眠時に発生する無呼吸症候群を治療するために頭部又は頸部に装着する睡眠時無呼吸症候群治療具に関する。
【背景技術】
【０００２】
睡眠時無呼吸症候群には、閉塞型睡眠時無呼吸症候群、中枢型睡眠時無呼吸症候群、これらが混合した混合型睡眠時無呼吸症候群があるが、そのほとんどが閉塞型睡眠時無呼吸症候群であるといわれている。
【０００３】
そして、この閉塞型睡眠時無呼吸症候群は、睡眠中の筋弛緩により舌根部や軟口蓋が下がって気道を閉塞することが主な原因であるといわれている。なお、いびきも略同様な原因である。
【０００４】
これら閉塞型睡眠時無呼吸症候群やいびきを治療するために、口腔内に装着する種々のマウスピースが提案され、また実践されている（例えば、特許文献１〜５参照）。これらは、口腔内に装着されて、主に上顎に対して下顎を前方に牽引する事により、気道閉塞の原因である沈下した舌根を下顎骨と共に前方へと引き上げて正常な呼吸を回復させるものである。
【先行技術文献】
【特許文献】
【０００５】
【特許文献１】特開２００６−９５２４５号公報
【特許文献２】特開２００６−２０９８６号公報
【特許文献３】特開２００５−３１２８５３号公報
【特許文献４】特開２００４−７３４７３号公報
【特許文献５】特許第４４８２３０２号
【発明の概要】
【発明が解決しようとする課題】
【０００６】
しかしながら、マウスピースの力学的負荷は、上顎骨と下顎骨に直接作用するのでは無くて、歯を介在して上顎と下顎の位置を規制するものであるため、長期的に使用すると、骨格とそこに植立している歯との位置関係が変化してしまうおそれがある。
【０００７】
歯に弱い力を持続的に作用させ続けると、歯根膜中に出現する破骨細胞と造骨細胞の作用により骨の吸収と添加によって歯が移動する。
【０００８】
歯科治療における歯列矯正治療で、歯を位置移動させるのに最低限必要な力は、持続した１７ｇ程度の力であることが研究により周知されている。
【０００９】
そのため、マウスピースによる持続的な力が骨格と歯列との位置関係を変えてしまい、
咬み合わせが変位するおそれがある。
【００１０】
また、マウスピースは、口腔内に装着するものであるから、装着時に違和感があり、快適に装着するというわけにはいかない。
【００１１】
さらに、生理的には口を閉じている場合でも上下の歯は咬み合っておらず、正常値で２〜３ｍｍ安静位空隙と定義される隙間が存在する。しかしマウスピースはその厚みが薄いものでも２ｍｍ程度はあるため、上下合わせると安静位空隙を侵襲してしまう。
【００１２】
例えば唾液を飲み込む嚥下時では上下の歯を咬合接触させるのが生理的現象であるのだが、マウスピースの厚みにより咬合接触のスピードが速くなり、脳神経の１つである咀嚼筋を司る三叉神経に負荷をかけるおそれがある。
【００１３】
次に顎関節症の治療装具としても本発明は有効である。
開口や咀嚼時における顎関節機構は、蝶番運動ではなくて前方への滑走運動と回転運動の複合運動である。開口時には左右の側頭骨の関節窩に収まる下顎骨の下顎頭が回転運動をしながら前方へと関節窩前壁を逸脱する領域まで滑走する。
【００１４】
また、咀嚼時には咀嚼側の反対側の下顎頭が主に回転と前方滑走を行うことにより下顎が側方へと運動する機構となっている。
【００１５】
顎関節症の多くはこれらの前方への滑走が制限されていることに起因するものが多く存在しているが、本発明品はそれらの制限を緩和する装具としても有効である。
マウスピースはそれをしようしたまま食事することは不可能であり、会話も不自由なため、就寝時のみしか使用できないが、本発明品は日常のあらゆる場面で使用可能であるため、顎関節症の治療装具としても有効である。
【００１６】
本発明は、上述した事情に鑑みてなされたものであり、咬み合わせに悪影響を与えることなく、また、装着時の違和感がなく、簡単に着脱することが可能で、しかも顎関節症の治療にも役立つ、睡眠時無呼吸症候群治療具を提供することを目的とする。
【課題を解決するための手段】
【００１７】
請求項１に係る発明は、睡眠時無呼吸症候群を治療すべく頭部又は頸部に装着される睡眠時無呼吸症候群治療具において、中間部が頭部又は頸部に沿って延び、左端側が左耳近傍に位置し、右端側が右耳近傍に位置する、弾性を有するヘッドバンドと、前記ヘッドバンドの前記左端側、及び前記右端側に取り付けられた保持部と、前記保持部に取り付けられて、前記ヘッドバンドの弾性に基づいて前記左耳の下方及び前記右耳の下方を押圧することで下顎骨の下顎枝後縁を前方に付勢する加圧体と、を備える、ことを特徴とする。
【００１８】
請求項２に係る発明は、請求項１に係る睡眠時無呼吸症候群治療具において、前記ヘッドバンドは、前記中間部が前記頸部に沿って延び、前記保持部は、下顎体下縁に倣うように当接される当接部を有する、ことを特徴とする。
【００１９】
請求項３に係る発明は、請求項１に係る睡眠時無呼吸症候群治療具において、前記ヘッドバンドは、前記中間部が前記頸部に沿って延び、前記保持部に取り付けられて前記ヘッドバンドの弾性に基づいて前記下顎骨の下顎体下縁を前側斜め上方に付勢する補助加圧体を有する、ことを特徴とする。
【００２０】
請求項４に係る発明は、請求項１ないし３のいずれか１項に係る睡眠時無呼吸症候群治療具において、前記ヘッドバンドは、前記中間部が前記頸部に沿って延び、前記ヘッドバンドは、下端側が左の前記保持部に連結されるとともに上端側が前記左耳にかけられる左耳掛けと、下端側が右の前記保持部に連結されるとともに上端側が前記右耳にかけられる右耳掛けとを有する、ことを特徴とする。
【００２１】
請求項５に係る発明は、請求項３又は４に係る睡眠時無呼吸症候群治療具において、前記ヘッドバンドは、前記中間部に長さ調整機構を有する、ことを特徴とする。
【００２２】
請求項６に係る発明は、請求項３ないし５のいずれか１項に記載の睡眠時無呼吸症候群治療具において、前記加圧体と前記補助加圧体のうちの少なくとも一方が、前記保持部に対して、位置調整可能に取り付けられた、ことを特徴とする。
【００２３】
請求項７に係る発明は、請求項１に係る睡眠時無呼吸症候群治療具において、前記ヘッドバンドは、前記中間部が前記頭部に沿って延び、前記ヘッドバンドは、前記保持部に長さ調整機構を有する、ことを特徴とする。
【００２４】
請求項８に係る発明は、請求項７に係る睡眠時無呼吸症候群治療具において、一方の端部が前記ヘッドバンドの左半部に連結され、中間部が前頭部又は後頭部を経由し、他方の端部が前記ヘッドバンドの右半部に連結される補助バンドを有する、ことを特徴とする。
【００２５】
請求項９に係る発明は、請求項７又は８に係る睡眠時無呼吸症候群治療具において、前記ヘッドバンドは、前記中間部が前記頭部の頭頂部近傍に位置し、前記左端側が前記左耳の左側方を上方から下方に延びて前記左耳の下方に位置し、前記右端側が前記右耳の右側方を上方から下方に延びて前記右耳の下方に位置する、ことを特徴とする。
【００２６】
請求項１０に係る発明は、請求項７又は８に係る睡眠時無呼吸症候群治療具において、前記ヘッドバンドは、前記中間部が前記頭部の頭頂部近傍に位置し、前記左端側が前記左耳の前方を上方から下方に延びて前記左耳の下方に位置し、前記右端側が前記右耳の前方を上方から下方に延びて前記右耳の下方に位置する、ことを特徴とする。
【００２７】
請求項１１に係る発明は、請求項７又は８に係る睡眠時無呼吸症候群治療具において、前記ヘッドバンドは、前記中間部が前記頭部の前頭部に位置し、前記左端側が前記左耳の後方に掛かるようにして前記左耳の下方に位置し、前記右端側が前記右耳の後方に掛かるようにして前記右耳の下方に位置する、ことを特徴とする。
【００２８】
請求項１２に係る発明は、請求項７ないし１１のいずれか１項に係る睡眠時無呼吸症候群治療具において、前記保持部に取り付けられて前記ヘッドバンドの弾性に基づいて前記下顎骨の下顎体下縁を前側斜め上方に付勢する補助加圧体を有する、ことを特徴とする。
【００２９】
請求項１３に係る発明は、請求項１２に係る睡眠時無呼吸症候群治療具において、前記加圧体と前記補助加圧体のうちの少なくとも一方が、前記保持部に対して、位置調整可能に取り付けられた、ことを特徴とする。
【００３０】
請求項１４に係る発明は、請求項１ないし１３のいずれか１項に記載の睡眠時無呼吸症候群治療具において、前記加圧体が超軟質ウレタン樹脂、発泡ウレタン、又は低反発ウレタンによって形成されている、ことを特徴とする。
【００３１】
請求項１５に係る発明は、請求項３ないし６、請求項１２又は１３のいずれか１項に係る睡眠時無呼吸症候群治療具において、前記補助加圧体が超軟質ウレタン樹脂、発泡ウレタン、又は低反発ウレタンによって形成されている、ことを特徴とする。
【発明の効果】
【００３２】
請求項１の発明によれば、睡眠時無呼吸症候群治療具は、頭部又は頸部に装着して加圧体によって耳の下を押圧することにより、下顎骨の下顎枝後縁を前方に付勢することができるので、舌根部や軟口蓋による気道の閉塞を防止することができる。また、睡眠時無呼吸症候群治療具は、口腔内に装着するものとは異なり、頭部又は頸部に装着するので、簡単に違和感なく装着することができる。さらに、睡眠時に限らず昼間も装着することができ、しかも、装着したままでの飲食が可能である。しかも、顎関節症の治療にも役立つ。
【００３３】
請求項２の発明によれば、ヘッドバンドは、その中間部が頸部に沿って延びるので、頭部に沿って延びる場合と比較して、例えば、全体を伸ばして比較したときの長さを短くすることができ、装着時の違和感が少なく、また、加圧体による押圧力の調整が容易である。また、保持部が下顎体下縁に倣うように当接される当接部を有するので、この当接部が下顎体下縁にフィットして、睡眠時無呼吸症候群治療具の装着感を向上させるとともに、加圧体の位置決め精度を高めることができる。
【００３４】
請求項３の発明によれば、ヘッドバンドは、その中間部が頸部に沿って延びるので、頭部に沿って延びる場合と比較して、例えば、全体を伸ばして比較したときの長さを短くすることができ、装着時の違和感が少なく、また、加圧体による押圧力の調整が容易である。また、補助加圧体により、下顎体下縁を前側斜め上方に付勢することができるので、加圧体とともに下顎全体を効率よく前方の付勢することができる。さらに、加圧体により下顎枝後縁を付勢し、補助加圧体により下顎体下縁を付勢していて、加圧体と補助加圧体との一方が他方の位置決めをすることができるので、加圧体のみの場合と比較して、位置決め精度が向上する。
【００３５】
請求項４の発明によれば、左右の耳掛けによって、ヘッドバンドを支持することができるので、ヘッドバンドによる加圧体の押圧力を適宜に設定しやすい。すなわち、耳掛けがない場合には、ヘッドバンドの弾性に基づいて、加圧体の押圧力を発生させるのに加え、ヘッドバンドの落下を防止する必要もあるので、結果的に押圧力が高くなりがちとなっていたが、落下防止を考慮する必要がないので、下顎骨の付勢に適宜な押圧力に設定することができる。
【００３６】
請求項５の発明によれば、頭部の大きさや頸部の太さが異なる使用者に対して、調整機構によってヘッドバンドの中間部の長さを調整することで、加圧体や補助加圧体を好適な位置に配置することができる。
【００３７】
請求項６の発明によれば、頭部の大きさや頸部の太さが異なる使用者に対して、加圧体や補助加圧体の位置を調整することにより、これらを好適な位置に配置することができる。
【００３８】
請求項７の発明によれば、ヘッドバンドは、中間部が頭部に沿って延びるので、頸部に沿って延びる場合と比較して、ヘッドバンドの重量を支持しやすく、このため、加圧体による押圧力を調整しやすい。また、ヘッドバンドは、左端部及び右端部に長さ調整機構を有しているので、これを利用して長さを調整することにより、つまり、加圧体の位置を調整することにより、マウスピースとは異なり、頭部のサイズの異なる複数の使用者が使用することができる。
【００３９】
請求項８の発明によれば、補助バンドにより、加圧体の位置を確実に保持することができる。
【００４０】
請求項９の発明によれば、ヘッドバンドは、一般的なヘッドホンのように、簡素な形状とすることができる。また、ヘッドバンドが後頭部には無いので、例えば、上向けで睡眠する際の邪魔にならない。
【００４１】
請求項１０の発明によれば、ヘッドバンドは、一般的なヘッドホンのように、簡素な形状とすることができ、また、左端部及び右端部が左耳及び右耳の前方に位置しているので、例えば、横向きで睡眠する際に邪魔になりにくい。さらに、ヘッドバンドが後頭部には無いので、例えば、上向けで睡眠する際の邪魔にならない。
【００４２】
請求項１１の発明によれば、左端部及び右端部をそれぞれ左耳、右耳の後方に掛かるように構成することで、頭部に対するヘッドバンドのフィット感を高めて、加圧体の位置を確実に保持することができる。また、ヘッドバンドが後頭部には無いので、例えば、上向けで睡眠する際の邪魔にならない。
【００４３】
請求項１２の発明によれば、補助加圧体により、下顎体下縁を前側斜め上方に付勢することができるので、加圧体とともに下顎全体を効率よく前方の付勢することができる。さらに、加圧体により下顎枝後縁を付勢し、補助加圧体により下顎体下縁を付勢していて、加圧体と補助加圧体との一方が他方の位置決めをすることができるので、加圧体のみの場合と比較して、位置決め精度が向上する。
【００４４】
請求項１３の発明によれば、頭部の大きさや頸部の太さが異なる使用者に対して、加圧体や補助加圧体の位置を調整することにより、これらを好適な位置に配置することができる。
【００４５】
請求項１４の発明によれば、加圧体が超軟質ウレタン樹脂、発泡ウレタン、又は低反発ウレタンによって形成されているので、顔の皮膚を介して、下顎骨を付勢するに際し、顔表面の形状によく倣うとともに、効率よく付勢することができる。
【００４６】
請求項１５の発明によれば、補助加圧体が超軟質ウレタン樹脂、発泡ウレタン、又は低反発ウレタンによって形成されているので、顔の皮膚を介して、下顎骨を付勢するに際し、顔表面の形状によく倣うとともに、効率よく付勢することができる。
【図面の簡単な説明】
【００４７】
【図１】（Ａ）は、使用者の頭部Ｈに装着された状態の睡眠時無呼吸症候群治療具１の正面図であり、（Ｂ）は、同じく右側面図である。
【図２】（Ａ）は、睡眠時無呼吸症候群治療具１が装着されない状態における加圧体２０の押圧位置Ｐ１と下顎骨ＪＤとの位置関係を説明する図であり、（Ｂ）は、睡眠時無呼吸症候群治療具１が装着された状態における加圧体２０の押圧位置Ｐ１と下顎骨ＪＤとの位置関係を説明する図である。
【図３】実施形態２の睡眠時無呼吸症候群治療具２を説明する斜視図である。
【図４】実施形態３の睡眠時無呼吸症候群治療具３を説明する斜視図である。
【図５】実施形態４の睡眠時無呼吸症候群治療具４を前側左斜め上方から見た斜視図である。
【図６】実施形態４の睡眠時無呼吸症候群治療具４を装着した状態を示す右側面図である。
【図７】実施形態４の睡眠時無呼吸症候群治療具４の作用を模式的に示す右側面図である。
【図８】睡眠時無呼吸症候群治療具４の第１変形例である睡眠時無呼吸症候群治療具４Ａの作用を模式的に示す右側面図である。
【図９】睡眠時無呼吸症候群治療具４の第２変形例である睡眠時無呼吸症候群治療具４Ｂの作用を模式的に示す右側面図である。
【図１０】実施形態５の睡眠時無呼吸症候群治療具５を右斜め上方から見た斜視図である。
【図１１】装着状態の睡眠時無呼吸症候群治療具６を後右斜め上方から見た斜視図である。
【図１２】変形例３の睡眠時無呼吸症候群治療具４Ｃを装着した状態を示す右側面図である。
【図１３】睡眠時無呼吸症候群治療具４Ｃを右斜め上方から見た図であり、当接部７４，７５の位置を説明する図である。
【図１４】（Ａ），（Ｂ），（Ｃ）は、それぞれ異なる当接部７５を説明する図である。
【発明を実施するための形態】
【００４８】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００４９】
図１〜図２を参照して、本発明を適用した実施形態１に係る睡眠時無呼吸症候群治療具１について説明する。このうち、図１（Ａ）は、使用者の頭部Ｈに装着された状態の睡眠時無呼吸症候群治療具１の正面図であり、図１（Ｂ）は、同じく右側面図である。図２（Ａ）は、睡眠時無呼吸症候群治療具１が装着されない状態における加圧体２０の押圧位置Ｐ１と下顎骨ＪＤとの位置関係を説明する図であり、図２（Ｂ）は、睡眠時無呼吸症候群治療具１が装着された状態における加圧体２０の押圧位置Ｐ１と下顎骨ＪＤとの位置関係を説明する図である。
【００５０】
睡眠時無呼吸症候群治療具１は、図１（Ａ），（Ｂ）に示すように、ヘッドバンド１０と、左右の加圧体（パッド）２０，２０とを備えて構成されており、図示例ではさらに、補助バンド３１，３２を有している。
【００５１】
ヘッドバンド１０は、例えば、薄板状の部材を、正面視形状（正面から見た形状）が、頭部Ｈの外形に倣った略馬蹄形となるように湾曲させて形成されている。
【００５２】
ヘッドバンド１０は、使用者の頭部Ｈに装着された状態において、中間部１１が頭頂部ＨＴ近傍に配置され、左の保持部１２が左耳ＹＬの左側方を上方から下方に延びて左耳ＹＬの下方に位置し、右の保持部１３が右耳ＹＲの右側方を上方から下方に延びて右耳ＹＲの下方に位置している。これら保持部１２，１３は、それぞれ左耳ＹＬ，右耳ＹＲに接触しないように構成すれば、頭部Ｈへの装着時に、違和感やうっとうしさを低減することができる。
【００５３】
ヘッドバンド１０は、例えば、合成樹脂板を上述のように馬蹄形に湾曲させて成形することにより、弾性（可撓性）を有するように構成されている。合成樹脂板の外には、例えば、金属板を使用することも可能であり、この場合には、金属板における頭部Ｈとの接触部分をウレタン等の緩衝材で被覆するとよい。
【００５４】
保持部１２，１３は、中間部１１とは別体に形成されていて、環状部（長さ調整機構）１４により、長さ調整が可能となっている。保持部１２，１３は、略短冊状に形成されていて、長手方向の位置が異なる２箇所に、それぞれ環状部１４，１４が設けてある。保持部１２，１３は、これら環状部１４，１４に、中間部１１の左端，右端が挿入されることにより、中間部１１によって支持されている。これにより、保持部１２，１３は、中間部１１の左端，右端に対してスライド移動させることにより、長さ調整が可能となっている。
【００５５】
左右の加圧体２０，２０は、ヘッドバンド１０の保持部１２，１３の先端部（下端部）の内面に、内側に向けて取り付けられている。図示例では、加圧体２０，２０は、涙型に形成されていて、尖った部位を内側に向けた姿勢で、保持部１２，１３の先端部の内面に固定されている。左右の加圧体２０，２０は、左耳ＹＬ，右耳ＹＲの下方を、上述のヘッドバンド１０の弾性（可撓性）により、効率よく押圧できる部材、例えば、低反発性のクッション材や、軟質のゴム等を好適に使用することができる。
【００５６】
なお、加圧体２０の形状としては、上述の涙型の外に、円錐形状，角錐形状，円錐台形状、角錐台形状、半球状等があげられる。左右の加圧体２０，２０は、上述のヘッドバンド１０の保持部１２，１３の長さを調整することで、左耳ＹＬの下方，右耳ＹＲの下方の、押圧するのに好適な所定の押圧位置Ｐ１（図２参照）に配置することが可能である。
【００５７】
上側の補助バンド３１は、帯状の２本の面ファスナ３３，３４によって構成されている。面ファスナ３３，３４は、それぞれの基端部（後端部）がヘッドバンド１０の中間部１１に連結され、それぞれの先端部（前端部）を前頭部（額）ＨＦで重ね合わせて係合させることで、ヘッドバンド１０が好適な位置に配置されるようにするとともに、ヘッドバンド１０の頭部Ｈに対する装着後の不要な動きを抑制している。
【００５８】
下側の補助バンド３２は、帯状の２本の面ファスナ３５，３６によって構成されている。面ファスナ３５，３６は、それぞれの基端部（前端部）がヘッドバンド１０の中間部１１における上述の上側の補助バンド３１よりも下方に連結され、それぞれの先端部（後端部）を後頭部ＨＲで重ね合わせて係合させることで、ヘッドバンド１０が好適な位置に配置されるようにするとともに、ヘッドバンド１０の頭部Ｈに対する装着後の不要な動きを抑制している。
【００５９】
上述のように、補助バンド３１は、面ファスナ３３，３４により、また、補助バンド３２は、面ファスナ３５，３６によって構成されているので、頭部Ｈに対する係脱（着脱）が容易である。
【００６０】
上述構成の睡眠時無呼吸症候群治療具１は、以下のようにして、頭部Ｈに装着する。補助バンド３１の面ファスナ３３，３４、補助バンド３２の面ファスナ３５，３６を外した状態で、ヘッドバンド１０を、保持部１２，１３近傍をそれぞれ左右の手で持って広げ、頭部Ｈを通し、ヘッドバンド１０の中間部１１を頭頂部ＨＴ近傍に掛け、保持部１２が左耳ＹＬの側方を通過して左の加圧体２０が左耳ＹＬの下方に位置し、また、保持部１３が右耳ＹＲの側方を通過して右の加圧体２０が右耳ＹＲの下方に位置するようにする。
【００６１】
そして、中間部１１に対して、保持部１２，１３をスライド移動させて、加圧体２０，２０の位置を調整して、押圧位置Ｐ１，Ｐ１に配置する。この加圧体２０，２０の位置調整が終了したら、補助バンド３１の面ファスナ３３，３４、補助バンド３２の面ファスナ３５，３６を係合させて、ヘッドバンド１０を固定する。これにより、左右の加圧体２０，２０が、左耳ＹＬ及び右耳ＹＲの下方の押圧位置Ｐ１，Ｐ１を押圧する。このときの押圧力は、１５０〜４００ｇ程度が好適である。
【００６２】
このときの左の加圧体２０による押圧位置Ｐ１は、図２（Ａ）中の楕円で示す部位であり、右の加圧体２０による押圧位置Ｐ１は不図示であるが、頭部Ｈの中心を基準として、この左の押圧位置Ｐ１と対象となる位置である。つまり、左右の加圧体２０，２０によって、頭部Ｈの外側（表面側）から頭蓋骨ＨＡと下顎骨ＪＤの下顎枝後縁ＪＤ１との間の間隙Ｇに加圧体２０，２０を押し込むようにして、間隙Ｇを広げて下顎骨ＪＤの下顎枝後縁ＪＤ１を前方に付勢し、これにより、図２（Ｂ）に示すように、下顎骨ＪＤ全体を前方に移動させることができる。これに伴い、下顎骨ＪＤに支持されている舌Ｔ（図３参照）も前方に移動することになり、舌根によって閉鎖されていた気道を開放して呼吸を可能にし、無呼吸症候群を治療するとともに、いびきを防止することができる。
【００６３】
以上のように、加圧体２０，２０は、頭部Ｈの外側から、間隙Ｇに押し込まれるようにして間隙Ｇを広げつつ下顎骨ＪＤを前方に押し出すので、上述のように加圧体２０，２０の先端側（内側に位置する部位）を尖らせておくことが有効である。
【００６４】
また、睡眠時無呼吸症候群治療具１は、加圧体２０，２０による、左耳ＹＬ，右耳ＹＲの下方のストレッチ効果もあり、この付随効果として、下顎骨ＪＤが左右均等に前方に移動するようになる。
【００６５】
さらに、睡眠時無呼吸症候群治療具１は、従来のマウスピースとは異なり、頭部Ｈの外側に装着するものであり、しかも、着脱が容易であるため、気軽に簡単に睡眠時無呼吸症候群の治療に供することができる。しかも、加圧体２０，２０の位置を調整するための環状部（長さ調整機構）１４を設けているので、環状部１４を利用して加圧体２０，２０の位置を調整することにより、頭部Ｈの大きさや形状の異なる複数の使用者が同一の睡眠時無呼吸症候群治療具１を使用することが可能である。
【００６６】
さらに加え、睡眠時無呼吸症候群治療具１は、顎関節症の治療にも役立つ。
【００６７】
なお、本実施形態においては、ヘッドバンド１０を、その保持部１２，１３が、左耳ＹＬ，右耳ＹＲに接触しないように構成すれば、ヘッドバンド１０の装着時の違和感やうっとうしさを低減することができる。
【００６８】
本実施形態においては、ヘッドバンド１０は、例えば、使用者が後頭部ＨＲに枕（不図示）を当てて仰向けの姿勢で睡眠をとった際に、後頭部ＨＲと枕との間に挟まることが無いので、ヘッドバンド１０が睡眠の妨げとなるようなことはない。
＜実施形態２＞
【００６９】
図３を参照して、本発明を適用した実施形態２に係る睡眠時無呼吸症候群治療具２について説明する。なお、同図では人体の一部を破断して人体内部を示している。
【００７０】
睡眠時無呼吸症候群治療具２は、図３に示すように、上述の実施形態１の睡眠時無呼吸症候群治療具１とは、頭部Ｈに対するヘッドバンド４０の装着位置が異なる。すなわち、ヘッドバンド４０は、その中間部４１が頭頂部ＨＴ近傍に配置され、左の保持部４２が左耳ＹＬの前方を通って左耳ＹＬの下方まで延び、また、右の保持部４３が右耳ＹＲの前方を通って右耳ＹＲの下方まで延びるように構成されている。
【００７１】
また、前側の補助バンド３７と後側の補助バンド３８とは、それぞれの基端部が、ヘッドバンド４０における略同じ位置に連結されるとともに、前者の前側の補助バンド３７は、中間部が前頭部ＨＦに掛けられ、後者の後側の補助バンド３８は、中間部が後頭部ＨＲに掛けられている。
【００７２】
なお、睡眠時無呼吸症候群治療具２は、保持部４２，４３の長さ調整をするための構成や、加圧体２０，２０の構成については、上述の睡眠時無呼吸症候群治療具１と同様であるため、環状部（長さ調整機構）等の図示は省略している。
【００７３】
本実施形態の睡眠時無呼吸症候群治療具２は、上述の実施形態１に係る睡眠時無呼吸症候群治療具１の作用・効果に加え、さらに、ヘッドバンド４０の保持部４２，４３が、左耳ＹＬ，右耳ＹＲの前方を通っているので、例えば、横向きで睡眠する際に、保持部４２が左耳ＹＬに、または、保持部４３が右耳ＹＲに当たって邪魔になることを防止できる。
＜実施形態３＞
【００７４】
図４を参照して、本発明を適用した実施形態３に係る睡眠時無呼吸症候群治療具３について説明する。なお、同図では人体の一部を破断して人体内部を示している。
【００７５】
睡眠時無呼吸症候群治療具３は、図４に示すように、上述の実施形態１の睡眠時無呼吸症候群治療具１とは、頭部Ｈに対するヘッドバンド５０の装着位置が異なる。すなわち、ヘッドバンド５０は、その中間部５１が前頭部ＨＦ近傍に掛けられ、左の保持部５２が左耳ＹＬの後方に掛かるようにして湾曲して左耳ＹＬの下方まで延び、また、右の保持部５３が右耳ＹＲの後方に掛かるようにして湾曲して右耳ＹＲの下方まで延びるように構成されている。つまり、保持部５２，５３は、一般的な眼鏡のフレームを掛けるようにして、左耳ＹＬ，右耳ＹＲに掛けられている。また、前側の補助バンド３９は、基端部が、ヘッドバンド５０に連結されるとともに、中間部が、前頭部ＨＦにおけるヘッドバンド５０の中間部５１よりも下方に掛けられている。また、後側の補助バンド６１は、基端部が、ヘッドバンド５０の中間部５１の先端近傍に連結されるとともに、中間部が、後頭部ＨＲと頸部Ｎとの境界近傍に掛けられている。
【００７６】
なお、睡眠時無呼吸症候群治療具３は、保持部５２，５３の長さを調整をするための構成や、加圧体２０，２０の構成については、上述の睡眠時無呼吸症候群治療具１と同様であるため、長さ調整機構等の図示は省略している。
【００７７】
本実施形態の睡眠時無呼吸症候群治療具３は、上述の実施形態１に係る睡眠時無呼吸症候群治療具１の作用・効果に加え、さらに、ヘッドバンド５０の保持部５２，５３が、左耳ＹＬ，右耳ＹＲの後方に掛かるように構成されているので、頭部Ｈに対するヘッドバンド５０のフィット感を高めて、加圧体２０，２０の位置を確実に保持することができる。また、ヘッドバンド５０が後頭部ＨＲには無いので、例えば、上向けで睡眠する際の邪魔にならない。
【００７８】
なお、以上では、左耳ＹＬ，右耳ＹＲに掛かる部位は、ヘッドバンド５０のうちの、保持部５２，５３であるものとして説明したが、これに代えて、ヘッドバンド５０のうちの中間部５１の一部であってもよい。
【００７９】
以上の実施形態では、補助バンド３１，３２，３７，３８，３９，６１が、面ファスナで構成されている場合を例に説明したが、これに代えて、ゴムバンドで構成することも可能であり、この場合には構成を簡略化することができる。ただし、ゴムバンドを使用する場合には、その長さ調整を行う場合には、別途、調整機構を設ける必要がある。
【００８０】
なお、上述の実施形態では、ヘッドバンド１０，４０，５０の形状が、帯状部材を湾曲させたような形状のものである場合について説明したが、ヘッドバンド１０，４０，５０の形状については、これに限定されるものではない。例えば、ヘッドバンドの左端部及び右端部に略下方に延びる棒状のステイを固定し、このステイの下端に、加圧体２０を固定するようにしてもよい。この場合、ステイも含めて、ヘッドバンドを構成していると考えることもできる。このように、ヘッドバンドの形状は、加圧体２０を上述の所定の位置に有効に配置することができる限り、任意の形状とすることが可能である。
【００８１】
ここで、上述の実施形態１〜３で例示した本発明に係る睡眠時無呼吸症候群治療具１〜３は、顎関節症の治療装置としても有効である。顎関節は、蝶番運動ではなく、側頭骨関節窩を下顎骨関節突起の下顎頭が滑走するメカニズムである。開口時には、関節窩を逸脱するまで頭が前方へ滑走しながら開口していくのが正常な開口運動である。また、咀嚼時においては、右側咀嚼では特に左下顎頭が、左側咀嚼では特に右下顎頭が前方へと大きく滑走することになる。
【００８２】
しかし、顎関節症の多くは、この下顎頭の前方へのスムーズな滑走が制限されることにより、開口障害や咀嚼障害が生じることになる。
【００８３】
そこで、本発明に係る睡眠時無呼吸症候群治療具では、下顎枝を前方へ押しやることが基本構造となっているので、顎関節の滑走障害の改善効果が期待できるため、無呼吸症候群の改善のみならず、顎関節症の治療装置としても有効である。
【００８４】
実際、発明者の経営する歯科医院に於いて、顎関節症患者に使用したところ、その有効性を確認することができた。
＜実施形態４＞
【００８５】
図５〜図９を参照して、本発明を適用した実施形態４に係る睡眠時無呼吸症候群治療具４，４Ａ，４Ｂについて説明する。
【００８６】
ここで、図５は、睡眠時無呼吸症候群治療具４を前側左斜め上方から見た斜視図である。図６は、睡眠時無呼吸症候群治療具４を装着した状態を示す右側面図である。図７は、睡眠時無呼吸症候群治療具４の作用を模式的に示す右側面図である。図８は、睡眠時無呼吸症候群治療具４の第１変形例である睡眠時無呼吸症候群治療具４Ａの作用を模式的に示す右側面図である。図９は、睡眠時無呼吸症候群治療具４の第２変形例である睡眠時無呼吸症候群治療具４Ｂの作用を模式的に示す右側面図である。
【００８７】
図５に示すように、睡眠時無呼吸症候群治療具４は、ヘッドバンド７０と、保持部７２，７３と、加圧体２１，２１とを備えて構成されている。なお、睡眠時無呼吸症候群治療具４は、図５に示す未使用状態においては、後述するヘッドバンド７０の弾性によって、前側（保持部７２，７３側）が内側に閉じた状態になっている。本実施形態の睡眠時無呼吸症候群治療具４は、ヘッドバンド７０の中間部７１が、使用者の頸部Ｎの後部に倣って、すなわち、頸部Ｎの後側を回すようにして使用されるものである。
【００８８】
なお、同図に示す睡眠時無呼吸症候群治療具４は、中間部７１を有するヘッドバンド７０と、左の保持部７２，右の保持部７３が一体的に構成されている。
【００８９】
ヘッドバンド７０は、中間部７１と、左の保持部７２と、右の保持部７３とを有していて、芯材（骨組み）としてのばね部材Ｗを、被覆材としての布状部材ＣＬで覆うことによって形成されている。中間部７１は、湾曲した帯状に形成されていて、保持部７２，７３は円板状に形成されている。
【００９０】
右の保持部７３の内面側（内側）には、保持部７３とほぼ同形の円形の面ファスナの一方側７３ａが設けられている。同様に、左の保持部７２の内面側（内側）には、保持部７３とほぼ同形の円形の面ファスナの一方側７２ａが設けられている。
【００９１】
ばね部材Ｗは、例えば、全体が１本の棒状のばねによって構成されていて、中間部Ｗｃが頸部Ｎの後部に倣って湾曲され、保持部７２，７３が円形に形成されている。ばね部材Ｗは、その中間部Ｗｃが、ヘッドバンド７０の中間部７１の上端を通り、左端側部分Ｗ１がそのまま保持部７２に至り、保持部７２に沿ってぐるっと一周し、右端側部分Ｗ２がそのまま保持部７３に至り、保持部７３に沿ってぐるっと一周している。本実施形態では、ばね部材Ｗの左端側部分Ｗ１、右端側部分Ｗ２について、これらの上端側が下端側に対して外側に傾斜するように構成されているので、これに倣って、ヘッドバンド７０全体としても、保持部７２，７３も同方向に傾斜していて、使用者の装着時に、これら保持部７２，７３が下顎角ＪＤ３（図７参照）近傍によりフィットするようになっている。
【００９２】
加圧体２１，２１は、図示例では、ほぼ半球状に形成されている。加圧体２１，２１の底面には、ほぼ円形の面ファスナの他方側２１ｂ，２１ｂが取り付けられている。すなわち、加圧体２１，２１は、面ファスナの他方側２１ｂ，２１ｂを、保持部７２，７３の面ファスナ７２ａ，７３ａに着脱することにより、保持部７２，７３に対して位置調整することができるようになっている。また、大きさ等の異なる複数種の加圧体２１を準備しておくことにより、使用者の頭部Ｈの大きさ等に好適な加圧体２１を選択して、簡単に取り付けることができる。
【００９３】
なお、加圧体２１は、半球状に限らず、円錐形、角錐形、円錐台形、角錐台形等の他の形状であってもよい。加圧体２１の材質としては、超軟質ウレタン樹脂や発泡ウレタンや低反発ウレタンを好適に使用することができるが、これらに限定されるものではなく、軟質・硬質のゴム、一般的な合成樹脂性などであってもよい。ただし、加圧体２１は、使用者の肌に直接触れることになるので、肌触りのよいもの、例えば、超軟質ウレタン樹脂に酢酸ブチルを溶剤としたイソシアネート等のコート剤を一層、好適に使用することができる。
【００９４】
図６に示すように、睡眠時無呼吸症候群治療具４は、ヘッドバンド７０を、その中間部７１が頸部Ｎの後側に位置し、左の保持部７２がほぼ左耳ＹＬの下方に位置し、右の保持部７３がほぼ右耳ＹＲの下方に位置するように装着する。これにより、図７に示すように、左の加圧体２１が、下顎骨ＪＤの左側の下顎枝後縁ＪＤ１に対応するように位置し、右の加圧体２１が、下顎骨ＪＤの右側の下顎枝後縁ＪＤ１に対応するように位置させる。そして、ヘッドバンド７０の主に中間部７１の弾性力（ばね力）によって、加圧体２１，２１によって、左側及び右側の下顎枝後縁ＪＤ１を前方に付勢し、これにより、下顎骨ＪＤ全体を前方に付勢することができる。
【００９５】
このときに、加圧体２１の押圧力は、１００〜５００ｇがよく、また、２００〜４００が好適であり、さらに、２５０〜３５０ｇが最適である。つまり、使用者が睡眠時無呼吸症候群治療具４を特に違和感なく使用することができ、また、使用による効果を考慮した場合、加圧体２１の押圧力を、これらの数値範囲内に設定するとよい。
【００９６】
図８に、睡眠時無呼吸症候群治療具４の変形例１である、睡眠時無呼吸症候群治療具４Ａを示す。
【００９７】
睡眠時無呼吸症候群治療具４Ａは、上述の睡眠時無呼吸症候群治療具４の保持部７２，７３の内側おける、加圧体２１，２１の下側かつ前側に、加圧体２１，２１とほぼ同様の補助加圧体２２，２２を取り付けている。
【００９８】
この補助加圧体２２，２２は、睡眠時無呼吸症候群治療具４Ａの装着時に、下顎骨ＪＤの左側及び右側の下顎体下縁ＪＤ２を押圧して、これを上斜め前方に付勢することができる。
【００９９】
本変形例１によれば、下顎骨ＪＤを、加圧体２１及び補助加圧体２２によってより確実に、大きな力で前方に付勢することができる。
【０１００】
さらに、本変形例１によれば、下顎角ＪＤ３を挟んで、加圧体２１と補助加圧体２２とがそれぞれ下顎枝後縁ＪＤ１、下顎体下縁ＪＤ２に皮膚を介して当接するので、加圧体２１と補助加圧体２２とについて一方が他方の位置決めの基準となるため、補助加圧体２２を有していない場合と比較して、高い精度で所定部位を押圧することが可能となる。
【０１０１】
図９に、睡眠時無呼吸症候群治療具４の変形例２である、睡眠時無呼吸症候群治療具４Ｂを示す。
【０１０２】
本変形例２では、上述の睡眠時無呼吸症候群治療具４で使用していた半球状の加圧体２１に代えて、ソラマメ形の加圧体２３を使用している。加圧体２３は、凹部２３ａが下顎角ＪＤ３を押圧し、上部２３ｂが下顎枝後縁ＪＤ１を押圧し、前部２３ｃが下顎体下縁ＪＤ２を押圧するようになっている。
【０１０３】
本変形例２によれば、加圧体２３の位置決め精度について、上述の睡眠時無呼吸症候群治療具４の加圧体２１に比較して、高い位置決め精度が不要である。
【０１０４】
図１２〜図１４を参照して、睡眠時無呼吸症候群治療具４の変形例３である睡眠時無呼吸症候群治療具４Ｃを示す。図１２は、変形例３の睡眠時無呼吸症候群治療具４Ｃを装着した状態を示す右側面図である。図１３は、睡眠時無呼吸症候群治療具４Ｃを右斜め上方から見た図であり、当接部７４，７５の位置を説明する図である。図１４（Ａ），（Ｂ），（Ｃ）は、それぞれ異なる当接部７５を説明する図である。
【０１０５】
図１２，図１３に示すように、睡眠時無呼吸症候群治療具４Ｃは、図５〜図７に示す睡眠時無呼吸症候群治療具４の保持部７２，７３の前端側を前方に延長して、延長部７２ｂ，７３ｂを設け、この延長部７２ｂ，７３ｂを含む保持部７２，７３の内面側（内側）に当接部７４，７５を設けたものである。
【０１０６】
当接部７４，７５は、図１２に示すように、下顎体下縁ＪＤ２に倣うように当接されるものであり、左の当接部７４は、左の下顎体下縁ＪＤ２に、左斜め下方から右斜め上方に向けて当接され、右の当接部７５は、右の下顎体下縁ＪＤ２に、右斜め下方から左斜め上方に向けて当接されるものである。これら、当接部７４，７５は、ヘッドバンド７０のフィット性を高めるためのものであり、前後方向の長さについては、適宜に設定するものとする。
【０１０７】
図１４（Ａ）〜（Ｃ）に、当接部７５の例を示す。なお、当接部７４も同様である。（Ａ）に示す当接部７５は、板状部材７５Ａを前方（矢印Ｘ方向）から見たときにほぼ「Ｌ」字形（「く」字形）になるように屈曲させた形状のものである。板状部材７５Ａは、自身の形状を保持する程度の硬さを有するもの、例えば、硬質の合成樹脂で形成することができ、内側の面の形状が、下顎体下縁ＪＤ２に倣った形状とするとよい。屈曲部７５ａ近傍が、下顎体下縁ＪＤ２に当接する。
【０１０８】
図１４（Ｂ）の当接部７５は、超軟質ウレタン樹脂や発泡ウレタンや低反発ウレタン等の変形容易な部材７５Ｂによって形成したものである。部材７５Ｂは、部分７５ｂ近傍が下顎体下縁ＪＤ２に当接されることにより、全体が下顎体下縁ＪＤ２近傍の形状に倣って、Ｘ線矢視図において、部分７５ｃに示すように変形する。
【０１０９】
図１４（Ｃ）の当接部７５は、ヘッドバンド７０の芯材となるばね部材Ｗ（図１３参照）の右端側部分Ｗ２の一部を屈曲させて、屈曲部Ｗ３を設けて、Ｘ線矢視図の形状がほぼ「Ｌ」字形（「く」字形）となるようにする。このような屈曲部Ｗ３を設けることにより、延長部７３ｂを含む保持部７３の内面に、当接部７５を形成する。
【０１１０】
以上の（Ａ）〜（Ｂ）に例示するような当接部７５を設けることにより、ヘッドバンド７０のフィット感を高めることができる。
＜実施形態５＞
【０１１１】
図１０を参照して、本発明を適用した実施形態５の睡眠時無呼吸症候群治療具５について説明する。図１０は、睡眠時無呼吸症候群治療具５を右斜め上方から見た斜視図である。
【０１１２】
睡眠時無呼吸症候群治療具５は、ヘッドバンド８０と、左の保持部８２と、右の保持部８３と、加圧体２１，２１とを備えて構成されている。ヘッドバンド８０は、上述の実施形態４の睡眠時無呼吸症候群治療具４と同様、頸部Ｎの後側を回すタイプのものである。
【０１１３】
ヘッドバンド８０は、頸部Ｎの後ろに位置する中間部８１と、左耳掛け８４、右耳掛け８５を有している。
【０１１４】
中間部８１は、ばね部材８１ａと、左スライダ８１ｂと、右スライダ８１ｃとを有していて、全体として長さ調整機構を構成している。ばね部材８１ａは、円弧状の板ばね８１ｄとその中間部に固定されたホルダ８１ｅからなり、ホルダ８１ｅの左端側及び右端側からは、板ばね８１ｄの左端側及び右端側が突出されている。板ばね８１ｄの左端側は、左スライダ８１ｂに出入り可能に挿入されており、右端側は、右スライダ８１ｃに出入り可能に挿入されている。これにより、左スライダ８１ｂ、右スライダ８１ｃは、板ばね８１ｄの左端側、右端側に対してスライド移動可能となっている。つまり、ばね部材８１ａ、左スライダ８１ｂ、右スライダ８１ｃからなる中間部８１は、全体として伸縮自在、長さ調整自在となっている。
【０１１５】
左スライダ８１ｂ、右スライダ８１ｃの前端８１ｂ１，８１ｃ１には、左耳掛け８４、右耳掛け８５の下端８４ａ，８５ａが固定されている。なお、固定するに代えて、前端８１ｂ１，８１ｃ１に対して、下端８４ａ，８５ａを揺動可能に取り付けるようにしてもよい。これによると、後述する加圧体２１，２１の位置決め精度を高めることができる。左耳掛け８４、右耳掛け８５の上端８４ｂ，８５ｂ側は、ほぼ半円状に形成されていて、左耳ＹＬ、右耳ＹＲに対して、後方から引っ掛けることができるようになっている。
【０１１６】
左耳掛け８４の下端８４ａ近傍には、透孔８４ｃが穿設されていて、保持部８２を揺動可能に支持している。保持部８２は、長板状のアームとして形成されていて、基端部には、上述の透孔８４ｃに嵌合可能な円板状の凸部８２ａが形成されている。この嵌合は、保持部８２に対する使用者の積極的な揺動動作に対しては、揺動可能であるが、それ以外では、不動となるように設定されている。なお、保持部８２の揺動動作を禁止するためのロックねじ（不図示）を設けるようにしてもよい。
【０１１７】
右耳掛け８５の下端８５ａ近傍には、上述の左耳掛け８４の下端８４ａ近傍と同様に構成されている。すなわち、右耳掛け８５の下端８５ａには、透孔８４ｃと同様の透孔（不図示）が穿設されていて、保持部８３を揺動可能に支持している。保持部８３は、長板状のアームとして形成されていて、基端部には、上述の透孔（不図示）に嵌合可能な円板状の凸部（不図示）が形成されている。この嵌合は、保持部８３に対する使用者の積極的な揺動動作に対しては、揺動可能であるが、それ以外では、不動となるように設定されている。なお、保持部８３の揺動動作を禁止するためのロックねじ（不図示）を設けるようにしてもよい。
【０１１８】
保持部８２，８３には、加圧体２１，２１がそれぞれスライド可能に取り付けられている。加圧体２１，２１は、半球状に形成されていて、裏面側には、保持部８２，８３に嵌合し得るスライドベース２１ａ（左側の加圧体のスライドベースは不図示）が固定されている。この嵌合は、加圧体２１の、使用者により積極的なスライド動作によってはスライド移動するが、不要な概略に対しては容易には動かない程度の嵌合であるものとする。なお、加圧体２１，２１のスライド動作を禁止するためのロックねじ（不図示）を設けるようにしてもよい。ロックねじは、例えば、スライドベース２１を貫通する雌ねじ部（不図示）を設け、これに螺合して先端が保持部８２，８３に当接するように構成すればよい。
【０１１９】
また、保持部８２，８３を長く形成して、これらの先端側に、補助加圧体２２を取り付けるようにしてもよい。補助加圧体２２は、例えば、加圧体２１と同様に構成すればよい。さらに、この場合、保持部８２，８３のうちの、加圧体２１，２１と補助加圧体２２，２２との間に位置する部分に、保持部８２，８３が屈曲可能となるような構成を設けてもよい。これにより、加圧体２１，２１、補助加圧体２２，２２の位置を個別に調整することが可能となるので、加圧体２１，２１や補助加圧体２２，２２の位置決め精度がさらに高くなる。
【０１２０】
この構成によれば、加圧体２１，２１、補助加圧体２２，２２を簡単に交換することができるので、加圧体２１，２１、補助加圧体２２，２２について、大きさ（サイズ）や材質の異なるものを複数種準備しておき、使用者が好適なものを選択して、保持部８２，８３に取り付けることができる。
【０１２１】
なお、保持部８２，８３は、頭部Ｈ等の大きさの異なる種々の使用者に対応するため、はじめは長めに形成しておき、加圧体２１，２１を取り付けた後、あるいは補助加圧体２２，２２を取り付ける場合は、加圧体２１，２１と補助加圧体２２，２２を取り付けた後、先端側の不要な部分は、切除するようにしてもよい。
【０１２２】
本実施形態の睡眠時無呼吸症候群治療具５は、ヘッドバンド８０の中間部８１の長さ調整をすることで、使用者の左耳ＹＬ、右耳ＹＲに好適な位置に、左耳掛け８４、右耳掛け８５の位置を設定することができる。次に、左耳掛け８４、右耳掛け８５に対して、保持部８２，８３を揺動させ、さらに保持部８２，８３に対して加圧体２１，２１、補助加圧体２２，２２をスライド移動させることで、左耳掛け８４、右耳掛け８５に対して好適な位置に、加圧体２１，２１、補助加圧体２２，２２をセットすることができる。
【０１２３】
つまり、睡眠時無呼吸症候群治療具５全体として、使用者に最適な位置に、加圧体２１，２１、補助加圧体２２，２２を位置決めすることができる。したがって、こうして位置決めされた加圧体２１，２１、補助加圧体２２，２２によって、使用者の下顎ＬＤを効果的に前方に付勢することができる。
【０１２４】
なお、上述の補助加圧体２２，２２は、特に必要がない場合には、省略するようにしてもよい。この場合には、それに合わせて、保持部８２，８３の長さを、適宜な長さに切除するとよい。
＜実施形態６＞
【０１２５】
図１１を参照して、本発明を適用した実施形態６の睡眠時無呼吸症候群治療具６について説明する。図１１は、装着状態の睡眠時無呼吸症候群治療具６を後右斜め上方から見た斜視図である。
【０１２６】
睡眠時無呼吸症候群治療具６は、図５〜図７に示す睡眠時無呼吸症候群治療具４と、図１０に示す睡眠時無呼吸症候群治療具１０のヘッドバンド８０とを組み合わせて構成されている。なお、既に説明している部材等については、同じ符号を付して説明を省略する。
【０１２７】
ヘッドバンド７０における上端のうちの、ヘッドバンド８０のホルダ８１ｅ、右スライダ８１ｃ、左スライダー８１ｂ（図１０参照）に対応する位置に、筒状のホルダ７０ａを取り付ける。これらのホルダ７０ａに、ホルダ８１ｅの中間部、右スライダ８１ｃの後端側、左スライダ８１ｂの後端側を移動可能に挿通する。これにより、ヘッドバンド８０によって、ヘッドバンド７０を支持するとともに、左耳掛け８４、右耳掛け８５のスライド移動を可能にする。
【符号の説明】
【０１２８】
１  実施形態１の睡眠時無呼吸症候群治療具
２  実施形態２の睡眠時無呼吸症候群治療具
３  実施形態３の睡眠時無呼吸症候群治療具
４  実施形態４の睡眠時無呼吸症候群治療具
５  実施形態５の睡眠時無呼吸症候群治療具
６  実施形態５の睡眠時無呼吸症候群治療具
１０，４０，５０，７０，８０  ヘッドバンド
１１，４１，５１，７１  中間部
１２，４２，５２，７２，８２  保持部
１３，４３，５３，７３，８３  保持部
１４  環状部（長さ調整機構）
２０，２１，２３  加圧体
２２  補助加圧体
３１，３２，３７，３８，３９，６１  補助バンド
８１  中間部（長さ調整機構）
Ｈ  頭部
ＨＦ  前頭部
ＨＲ  後頭部
ＪＤ  下顎骨
ＪＤ１  下顎骨の下顎枝後縁
ＪＤ２  下顎骨の下顎体下縁
ＪＤ３  下顎骨の下顎角
ＹＬ  左耳
ＹＲ  右耳
【図１】
0005418796.tif 000002
【図２】
0005418796.tif 000003
【図３】
0005418796.tif 000004
【図４】
0005418796.tif 000005
【図５】
0005418796.tif 000006
【図６】
0005418796.tif 000007
【図７】
0005418796.tif 000008
【図８】
0005418796.tif 000009
【図９】
0005418796.tif 000010
【図１０】
0005418796.tif 000011
【図１１】
0005418796.tif 000012
【図１２】
0005418796.tif 000013
【図１３】
0005418796.tif 000014
【図１４】
0005418796.tif 000015